(57)【特許請求の範囲】
【請求項１】
画像送信装置と、画像受信装置とが接続可能な接続部と、
前記画像送信装置から画像データを受信する画像受信部と、
処理画像調整値設定手段によって設定された処理画像調整値に、前記画像受信部が受信した画像データを調整する画像処理部と、
前記画像処理部で調整された画像データを、前記画像受信装置に送信する画像送信部と、
前記画像処理部が調整すべき画像調整値をユーザ操作に応じて設定する画像調整値設定手段と、
前記画像受信装置に設定された画像調整値の情報を、前記画像受信装置から受信する画像調整値情報受信手段と、
前記画像調整値設定手段によって設定された画像調整値と、前記画像受信装置に設定された画像調整値とに基づいて、前記画像処理部が調整する前記処理画像調整値を、前記画像受信装置に設定された画像調整値が第１調整値以上である場合には、前記処理画像調整値を第１処理値分だけ減少させて設定し、前記画像受信装置に設定された画像調整値が第２調整値以下である場合には、前記処理画像調整値を第２処理値分だけ増加させて設定する前記処理画像調整値設定手段とを備える、画像送受信装置。
【請求項２】
前記画像送信装置に設定された画像調整値の情報を、前記画像送信装置から受信する第２画像調整値情報受信手段をさらに備え、
前記処理画像調整値設定手段が、前記画像調整値設定手段によって設定された画像調整値と、前記画像受信装置に設定された画像調整値と、前記画像送信装置に設定された画像調整値とに基づいて、前記画像処理部が調整する前記処理画像調整値を、前記画像送信装置に設定された画像調整値が第３調整値以上である場合には、前記処理画像調整値を第３処理値分だけ減少させて設定し、前記画像送信装置に設定された画像調整値が第４調整値以下である場合には、前記処理画像調整値を第４処理値分だけ増加させて設定する、請求項１に記載の画像送受信装置。
【請求項３】
画像送信装置と、画像受信装置とが接続可能な接続部と、
前記画像送信装置から画像データを受信する画像受信部と、
処理画像調整値設定手段によって設定された処理画像調整値に、前記画像受信部が受信した画像データを調整する画像処理部と、
前記画像処理部で調整された画像データを、前記画像受信装置に送信する画像送信部と、
前記画像処理部が調整すべき画像調整値をユーザ操作に応じて設定する画像調整値設定手段と、
前記画像送信装置に設定された画像調整値の情報を、前記画像送信装置から受信する画像調整値情報受信手段と、
前記画像調整値設定手段によって設定された画像調整値と、前記画像送信装置に設定された画像調整値とに基づいて、前記画像処理部が調整する前記処理画像調整値を、前記画像送信装置に設定された画像調整値が第１調整値以上である場合には、前記処理画像調整値を第１処理値分だけ減少させて設定し、前記画像送信装置に設定された画像調整値が第２所定値以下である場合には、前記処理画像調整値を第２処理値分だけ増加させて設定する前記処理画像調整値設定手段とを備える、画像送受信装置。
【請求項４】
請求項１〜３のいずれかに記載の画像送受信装置の各手段をコンピュータに実行させる、画像送受信装置の動作プログラム。
【請求項５】
画像受信装置が接続可能な接続部と、
処理画像調整値設定手段によって設定された処理画像調整値に、画像データを調整する画像処理部と、
前記画像処理部で調整された画像データを、前記画像受信装置に送信する画像送信部と、
前記画像処理部が調整すべき画像調整値をユーザ操作に応じて設定する画像調整値設定手段と、
前記画像受信装置に設定された画像調整値の情報を、前記画像受信装置から受信する画像調整値情報受信手段と、
前記画像調整値設定手段によって設定された画像調整値と、前記画像受信装置に設定された画像調整値とに基づいて、前記画像処理部が調整する前記処理画像調整値を、前記画像受信装置に設定された画像調整値が第１調整値以上である場合には、前記処理画像調整値を第１処理値分だけ減少させて設定し、前記画像受信装置に設定された画像調整値が第２所定値以下である場合には、前記処理画像調整値を第２処理値分だけ増加させて設定する前記処理画像調整値設定手段とを備える、画像送信装置。
【請求項６】
請求項５に記載の画像送信装置の各手段をコンピュータに実行させる、画像送信装置の動作プログラム。
【請求項７】
画像送信装置が接続可能な接続部と、
処理画像調整値設定手段によって設定された処理画像調整値に、画像データを調整する画像処理部と、
前記画像送信装置から画像データを受信する画像受信部と、
前記画像処理部が調整すべき画像調整値をユーザ操作に応じて設定する画像調整値設定手段と、
前記画像送信装置に設定された画像調整値の情報を、前記画像送信装置から受信する画像調整値情報受信手段と、
前記画像調整値設定手段によって設定された画像調整値と、前記画像送信装置に設定された画像調整値とに基づいて、前記画像処理部が調整する前記処理画像調整値を、前記画像送信装置に設定された画像調整値が第１調整値以上である場合には、前記処理画像調整値を第１処理値分だけ減少させて設定し、前記画像送信装置に設定された画像調整値が前記第１調整値よりも小さい第２所定値以下である場合には、前記処理画像調整値を第２処理値分だけ増加させて設定する前記処理画像調整値設定手段とを備える、画像受信装置。
【請求項８】
請求項７に記載の画像受信装置の各手段をコンピュータに実行させる、画像受信装置の動作プログラム。
【発明の詳細な説明】
【技術分野】
【０００１】
本発明は、画像送受信装置、画像送信装置および画像受信装置に関する。
【背景技術】
【０００２】
ＤＶＤプレーヤと、ＡＶアンプと、ディスプレイ装置とを備える画像送受信システムが利用されている。ＤＶＤプレーヤは、ＤＶＤから映像データ及び音声データを読み出して、ＨＤＭＩデータに変換し、ＡＶアンプに送信する。ＡＶアンプは、音声データに音声処理を実行し、スピーカーから音声を出力する。ＡＶアンプは、映像データに画像処理（明るさの調整など）を実行し、ＨＤＭＩデータに変換し、ディスプレイ装置に送信する。ディスプレイ装置は、ＡＶアンプから供給された映像データに画像処理（明るさの調整など）を実行し、表示部に表示する。
【０００３】
ここで、ＡＶアンプが映像データに対して調整する明るさがユーザ操作によってＡＶアンプに設定されている状態で、ディスプレイ装置が映像データに対して調整する明るさがユーザ操作によってディスプレイ装置にさらに設定された場合、映像データに対する明るさの調整がＡＶアンプとディスプレイ装置とで重複してしまい、ユーザが所望する明るさで映像がディスプレイ装置に表示されなくなる恐れがある。例えば、ＡＶアンプで映像データを明るくなるように調整した後、ディスプレイ装置においても同様に映像データが明るくなるように調整した場合、表示される映像が明るくなりすぎるという問題がある。なお、この問題は、ＤＶＤプレーヤで映像データに画像処理（明るさなどの調整）を実行する場合にも同様の問題が生じる。
【先行技術文献】
【特許文献】
【０００４】
【特許文献１】特開２００５−３４３３３２号公報
【発明の概要】
【発明が解決しようとする課題】
【０００５】
本発明は上記従来の課題を解決するためになされたものであり、その目的は、複数の機器で画像調整値を調整する際にも、映像データを適切な画像調整値に調整することができる画像送受信装置、画像送信装置および画像受信装置を提供することである。
【課題を解決するための手段】
【０００６】
本発明の好ましい実施形態による画像送受信装置は、画像送信装置と、画像受信装置とが接続可能な接続部と、前記画像送信装置から画像データを受信する画像受信部と、処理画像調整値設定手段によって設定された処理画像調整値に、前記画像受信部が受信した画像データを調整する画像処理部と、前記画像処理部で調整された画像データを、前記画像受信装置に送信する画像送信部と、前記画像処理部が調整すべき画像調整値をユーザ操作に応じて設定する画像調整値設定手段と、前記画像受信装置に設定された画像調整値の情報を、前記画像受信装置から受信する画像調整値情報受信手段と、前記画像調整値設定手段によって設定された画像調整値と、前記画像受信装置に設定された画像調整値とに基づいて、前記画像処理部が調整する前記処理画像調整値を、前記画像受信装置に設定された画像調整値が第１調整値以上である場合には、前記処理画像調整値を第１処理値分だけ減少させて設定し、前記画像受信装置に設定された画像調整値が第２調整値以下である場合には、前記処理画像調整値を第２処理値分だけ増加させて設定する前記処理画像調整値設定手段とを備える。
【０００７】
特に限定されないが、たとえば、画像送受信装置はＡＶアンプであり、画像送信装置はＤＶＤプレーヤであり、画像受信装置はディスプレイ装置である。処理画像調整値設定手段は、ユーザ操作に応じて設定された画像調整値と、画像受信装置に設定された画像調整値とに基づいて、処理画像調整値を設定する。従って、画像受信装置に設定された画像調整値に応じて、画像処理部が画像データに対して調整する処理画像調整値を適切な値に自動的に設定することができる。
【０００８】
好ましい実施形態においては、前記画像送信装置に設定された画像調整値の情報を、前記画像送信装置から受信する第２画像調整値情報受信手段をさらに備え、前記処理画像調整値設定手段が、前記画像調整値設定手段によって設定された画像調整値と、前記画像受信装置に設定された画像調整値と、前記画像送信装置に設定された画像調整値とに基づいて、前記画像処理部が調整する前記処理画像調整値を、前記画像送信装置に設定された画像調整値が第３調整値以上である場合には、前記処理画像調整値を第３処理値分だけ減少させて設定し、前記画像送信装置に設定された画像調整値が第４調整値以下である場合には、前記処理画像調整値を第４処理値分だけ増加させて設定する。
【０００９】
処理画像調整値設定手段は、ユーザ操作に応じて設定された画像調整値と、画像受信装置に設定された画像調整値と、画像送信装置に設定された画像調整値とに基づいて、処理画像調整値を設定する。従って、画像受信装置および画像送信装置に設定された画像調整値に応じて、画像処理部が画像データに対して調整する処理画像調整値を適切な値に自動的に設定することができる。
【００１０】
本発明の別の好ましい実施形態による画像送受信装置は、画像送信装置と、画像受信装置とが接続可能な接続部と、前記画像送信装置から画像データを受信する画像受信部と、処理画像調整値設定手段によって設定された処理画像調整値に、前記画像受信部が受信した画像データを調整する画像処理部と、前記画像処理部で調整された画像データを、前記画像受信装置に送信する画像送信部と、前記画像処理部が調整すべき画像調整値をユーザ操作に応じて設定する画像調整値設定手段と、前記画像送信装置に設定された画像調整値の情報を、前記画像送信装置から受信する画像調整値情報受信手段と、前記画像調整値設定手段によって設定された画像調整値と、前記画像送信装置に設定された画像調整値とに基づいて、前記画像処理部が調整する前記処理画像調整値を、前記画像送信装置に設定された画像調整値が第１調整値以上である場合には、前記処理画像調整値を第１処理値分だけ減少させて設定し、前記画像送信装置に設定された画像調整値が第２所定値以下である場合には、前記処理画像調整値を第２処理値分だけ増加させて設定する前記処理画像調整値設定手段とを備える。
【００１１】
処理画像調整値設定手段は、ユーザ操作に応じて設定された画像調整値と、画像送信装置に設定された画像調整値とに基づいて、処理画像調整値を設定する。従って、画像送信装置に設定された画像調整値に応じて、画像処理部が画像データに対して調整する処理画像調整値を適切な値に自動的に設定することができる。
【００１２】
本発明の好ましい実施形態による画像送信装置は、画像受信装置が接続可能な接続部と、処理画像調整値設定手段によって設定された処理画像調整値に、画像データを調整する画像処理部と、前記画像処理部で調整された画像データを、前記画像受信装置に送信する画像送信部と、前記画像処理部が調整すべき画像調整値をユーザ操作に応じて設定する画像調整値設定手段と、前記画像受信装置に設定された画像調整値の情報を、前記画像受信装置から受信する画像調整値情報受信手段と、前記画像調整値設定手段によって設定された画像調整値と、前記画像受信装置に設定された画像調整値とに基づいて、前記画像処理部が調整する前記処理画像調整値を、前記画像受信装置に設定された画像調整値が第１調整値以上である場合には、前記処理画像調整値を第１処理値分だけ減少させて設定し、前記画像受信装置に設定された画像調整値が第２所定値以下である場合には、前記処理画像調整値を第２処理値分だけ増加させて設定する前記処理画像調整値設定手段とを備える。
【００１３】
特に限定されないが、たとえば、画像送信装置はＤＶＤプレーヤであり、画像受信装置はディスプレイ装置である、又は、画像送信装置はＤＶＤプレーヤであり、画像受信装置はＡＶアンプである、又は、画像送信装置はＡＶアンプであり、画像受信装置はディスプレイ装置である。処理画像調整値設定手段は、ユーザ操作に応じて設定された画像調整値と、画像受信装置に設定された画像調整値とに基づいて、処理画像調整値を設定する。従って、画像受信装置に設定された画像調整値に応じて、画像処理部が画像データに対して調整する処理画像調整値を適切な値に自動的に設定することができる。
【００１４】
本発明の好ましい実施形態による画像受信装置は、画像送信装置が接続可能な接続部と、処理画像調整値設定手段によって設定された処理画像調整値に、画像データを調整する画像処理部と、前記画像送信装置から画像データを受信する画像受信部と、前記画像処理部が調整すべき画像調整値をユーザ操作に応じて設定する画像調整値設定手段と、前記画像送信装置に設定された画像調整値の情報を、前記画像送信装置から受信する画像調整値情報受信手段と、前記画像調整値設定手段によって設定された画像調整値と、前記画像送信装置に設定された画像調整値とに基づいて、前記画像処理部が調整する前記処理画像調整値を、前記画像送信装置に設定された画像調整値が第１調整値以上である場合には、前記処理画像調整値を第１処理値分だけ減少させて設定し、前記画像送信装置に設定された画像調整値が前記第１調整値よりも小さい第２所定値以下である場合には、前記処理画像調整値を第２処理値分だけ増加させて設定する前記処理画像調整値設定手段とを備える。
【００１５】
特に限定されないが、たとえば、画像送信装置はＤＶＤプレーヤであり、画像受信装置はディスプレイ装置である、又は、画像送信装置はＤＶＤプレーヤであり、画像受信装置はＡＶアンプである、又は、画像送信装置はＡＶアンプであり、画像受信装置はディスプレイ装置である。処理画像調整値設定手段は、ユーザ操作に応じて設定された画像調整値と、画像送信装置に設定された画像調整値とに基づいて、処理画像調整値を設定する。従って、画像送信装置に設定された画像調整値に応じて、画像処理部が画像データに対して調整する処理画像調整値を適切な値に自動的に設定することができる。
【００１６】
本発明の別の局面においては、前記いずれかの画像送受信装置、画像送信装置、又は、画像受信装置の各手段をコンピュータに実行させる、画像受信装置の動作プログラムが提供され得る。
【発明の効果】
【００１７】
複数の機器で画像調整値調整を実行する際にも、映像データを適切な画像調整値に調整することができる画像送受信装置、画像送信装置および画像受信装置を提供することができる。
【図面の簡単な説明】
【００１８】
【図１】ＤＶＤプレーヤ１０、ＡＶアンプ２０及びディスプレイ装置４０の構成を示すブロック図である。
【図２】ＡＶアンプ２０の動作を説明するフローチャートである。
【図３】ＡＶアンプ２０の動作を説明するフローチャートである。
【図４】ＡＶアンプ２０の動作を説明するフローチャートである。
【図５】ＡＶアンプ２０の動作を説明するフローチャートである。
【図６】ＡＶアンプ２０の動作を説明するフローチャートである。
【図７】ＡＶアンプ２０の動作を説明するフローチャートである。
【図８】ＤＶＤプレーヤ１０及びディスプレイ装置４０の構成を示すブロック図である。
【発明を実施するための形態】
【００１９】
以下、本発明の好ましい実施形態によるＤＶＤプレーヤ（画像送信装置として機能する。）、ＡＶアンプ（画像送受信装置、画像送信装置、又は、画像受信装置として機能する。）及びディスプレイ装置（画像受信装置として機能する。）を備える画像送受信システムについて、図面を参照して具体的に説明するが、本発明はこれらの実施形態には限定されない。図１は、ＤＶＤプレーヤ１０、ＡＶアンプ２０、ディスプレイ装置４０を示すブロック図である。
［ＤＶＤプレーヤ１０の構成］
ＤＶＤプレーヤ１０は、再生部１１と、画像処理部１２と、ＨＤＭＩ送信部１３と、制御部１４と、操作部１５と、表示部１６と、メモリ１７と、コネクタ部１８とを有している。コネクタ部１８は、ＡＶアンプ２０のコネクタ部２９（又はディスプレイ装置４０のコネクタ部４７）に接続可能である。
【００２０】
再生部１１は、ＤＶＤに記録されている映像データ（画像データの意味を含む、以下同様。）を読み出して、デコードし、画像処理部１２に供給する。また、再生部１１は、ＤＶＤに記録されている音声データを読み出して、デコードし、ＨＤＭＩ送信部１３に供給する。
【００２１】
画像処理部１２は、再生部１１から供給された映像データに画像処理（明るさ及び色合い等の画像調整値の調整、解像度変換等）を実行し、ＨＤＭＩ送信部１３に供給する。画像処理部１２で調整される画像調整値（以下、明るさとする。）は、ユーザ操作に応じて制御部１４によって設定される。
【００２２】
ＨＤＭＩ送信部１３は、画像処理部１２から供給された映像データ、および／または、再生部１１から供給された音声データを、制御部１４からのコマンドにより、ＨＤＭＩ規格のデータ（以下、ＨＤＭＩデータという。）に変換する。ＨＤＭＩ送信部１３は、ＨＤＭＩデータを、コネクタ部１８を介してＡＶアンプ２０に送信する。
【００２３】
制御部１４は、メモリ１７に格納されているＤＶＤプレーヤの動作プログラムに基づいて、ＤＶＤプレーヤ１０の各部を制御するものであり、例えば、マイコンやＣＰＵ等である。制御部１４は、操作部１５からの操作入力または各部からの制御信号およびデータに基づいて各種処理を実行する。
【００２４】
制御部１４は、ＨＤＭＩのＣＥＣラインを介してＡＶアンプ２０の制御部２５やディスプレイ装置４０の制御部４４に接続され、制御部２５、４４とコマンドおよび／またはデータを送受信する。制御部１４は、ＤＶＤプレーヤ１０に設定されている明るさを、ＡＶアンプ２０の制御部２５にＣＥＣラインを介して送信する。
【００２５】
［ＡＶアンプの構成］
ＡＶアンプ２０は、ＨＤＭＩ受信部２１と、画像処理部２２と、ＨＤＭＩ送信部２３と、音声処理部２４と、制御部２５と、操作部２６と、表示部２７と、メモリ２８と、コネクタ部２９と、コネクタ部３０とを有している。コネクタ部２９にはＤＶＤプレーヤ１０のコネクタ部１８が接続可能であり、コネクタ部３０にはディスプレイ装置４０のコネクタ部４７が接続可能である。制御部２５には、照度センサ５１、５２が接続されている。
【００２６】
ＨＤＭＩ受信部２１は、ＤＶＤプレーヤ１０から送信されたＨＤＭＩデータを受信し、受信したＨＤＭＩデータから元の映像データ（ＨＤＭＩ変換前の映像データ）を生成し、画像処理部２２に供給する。また、ＨＤＭＩ受信部２１は、受信したＨＤＭＩデータから元の音声データを生成し、音声処理部２４に供給する。
【００２７】
画像処理部２２は、ＨＤＭＩ受信部２１から供給された映像データに画像処理（明るさ及び色合い等の画像調整値の調整、解像度変換等）を実行し、ＨＤＭＩ送信部２３に供給する。画像処理部２２で調整される画像調整値（以下、明るさとする。）は、ユーザ操作に応じて制御部２５によって設定される。詳細には、ユーザ操作によって設定された明るさと、ディスプレイ装置４０で設定されている明るさ（および／またはＤＶＤプレーヤ１０で設定されている明るさ）とに基づいて、画像処理部２２で調整される明るさ（処理明るさ（処理画像調整値）という。）が設定される。また、必要に応じて、処理明るさは、照度センサ５１、５２で検出された照度にも基づいて設定されることが好ましい。
【００２８】
ＨＤＭＩ送信部２３は、画像処理部２２から供給された映像データをＨＤＭＩデータに変換する。ＨＤＭＩ送信部２３は、コネクタ部３０を介してディスプレイ装置４０にＨＤＭＩデータを送信する。
【００２９】
音声処理部２４は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００３０】
制御部２５は、メモリ２８に記憶されているＡＶアンプの動作プログラムに基づいて、ＡＶアンプ２０の各部を制御するものであり、例えば、マイコンやＣＰＵ等である。制御部２５は、操作部２６からの操作入力または各部からの制御信号およびデータに基づいて各種処理を実行する。
【００３１】
制御部２５は、ＣＥＣラインを介してＤＶＤプレーヤ１０の制御部１４に接続され、制御部１４とコマンドおよびデータを送受信する。また、制御部２５は、ＣＥＣラインを介してディスプレイ装置４０の制御部４４に接続され、制御部４４とコマンドおよびデータを送受信する。
【００３２】
制御部２５は、ユーザ操作に応じて、画像処理部２２が映像データに対して処理する明るさを設定する。また、制御部２５は、ディスプレイ装置４０の制御部４４からＣＥＣラインを介して、ディスプレイ装置４０に設定されている明るさの情報を取得する。また、制御部２５は、ＤＶＤプレーヤ１０の制御部１４からＣＥＣラインを介して、ＤＶＤプレーヤ１０に設定されている明るさの情報を取得する。制御部２５は、ユーザ操作によって設定された明るさと、ディスプレイ装置４０で設定されている明るさ（および／またはＤＶＤプレーヤ１０で設定されている明るさ）とに基づいて、処理明るさを設定する。
【００３３】
制御部２５は、照度センサ５１によって検出された照度を照度センサ５１から取得する。照度センサ５１は、ディスプレイ装置４０の表示部４３の近傍（前方）に配置されており、ディスプレイ装置４０の表示部４３で表示される映像の実際の照度を検出する。制御部２５は、照度センサ５２によって検出された照度を照度センサ５２から取得する。照度センサ５２は、部屋の任意の場所（例えばユーザの視聴位置の近傍）に配置され、部屋の（ユーザ周囲の）実際の照度を検出する。制御部２５は、照度センサ５１、５２で検出された照度をさらに加味して、処理明るさを設定する。
【００３４】
［ディスプレイ装置４０の構成］
ディスプレイ装置４０は、ＨＤＭＩ受信部４１と、画像処理部４２と、表示部４３と、制御部４４と、操作部４５と、メモリ４６と、コネクタ部４７とを有している。コネクタ部４７は、ＡＶアンプ２０のコネクタ部３０（又は、ＤＶＤプレーヤ１０のコネクタ部１８）に接続可能である。
【００３５】
ＨＤＭＩ受信部４１は、ＡＶアンプ２０のＨＤＭＩ送信部２３から送信されたＨＤＭＩデータを受信して、ＨＤＭＩデータから元の映像データを生成し、画像処理部４２に供給する。
【００３６】
画像処理部４２は、ＨＤＭＩ受信部４１から供給された映像データに画像処理（明るさ及び色合い等の画像調整値の調整、解像度変換等）を実行し、表示部４３に供給する。画像処理部４２で調整される画像調整値（以下、明るさとする。）は、ユーザ操作に応じて制御部４３によって設定される。
【００３７】
表示部４３は、画像処理部４２から映像データが供給され、当該映像データに基づいて映像を表示するものであり、例えば、ＬＣＤまたはＰＤＰ等である。
【００３８】
制御部４４は、メモリ４６に格納されたディスプレイ装置の動作プログラムに基づいて、ディスプレイ装置の各部を制御するものであり、例えば、マイコンやＣＰＵ等である。制御部４４は、操作部４５からの操作入力または各部からの制御信号およびデータに基づいて各種処理を実行する。
【００３９】
制御部４４は、ＨＤＭＩのＣＥＣラインを介してＡＶアンプ２０の制御部２５やＤＶＤプレーヤ１０の制御部１４に接続され、制御部２５、１４とコマンドおよび／またはデータを送受信する。制御部４４は、必要に応じて、ディスプレイ装置４０に設定されている明るさを、ＡＶアンプ２０の制御部２５にＣＥＣラインを介して送信する。
【００４０】
［画像送受信システムの動作］
［実施例１］
本例では、ユーザ操作によって設定されている明るさと、ディスプレイ装置４０に設定されている明るさとに基づいて、処理明るさが設定される。図２は本例におけるＡＶアンプ２０の制御部２５の処理を示すフローチャートである。ディスプレイ装置４０の制御部４４は、ユーザ操作によってディスプレイ装置４０の画像処理部４２で調整される明るさが設定されたとき、ＣＥＣラインを介して、ＡＶアンプ２０の制御部２５に、設定されたディスプレイ装置４０の明るさの情報を送信する。ＡＶアンプ２０の制御部２５は、ディスプレイ装置４０の制御部４４から、ディスプレイ装置４０に設定された明るさの情報を受信し、メモリ２８に保存する（Ｓ１）。
【００４１】
続いて、制御部２５は、照度センサ５１によって検出されたディスプレイ装置４０の表示部４３の前方の照度を取得し、メモリ２８に保存する（Ｓ２）。続いて、制御部２５は、照度センサ５２によって検出された部屋の（ユーザの視聴位置周囲）の照度を取得し、メモリ２８に保存する（Ｓ３）。
【００４２】
制御部２５は、ユーザ操作によって設定されている明るさに、ディスプレイ装置４０に設定されている明るさ及び照度センサ５１、５２から取得した照度を加味し、処理明るさを設定する（Ｓ４）。Ｓ４の詳細を図３に示す。
【００４３】
制御部２５は、ディスプレイ装置４０に設定されている明るさが所定値Ａ以上であるか否かを判断する（Ｓ１１）。ディスプレイ装置４０に設定されている明るさが所定値Ａ以上である場合（Ｓ１１でＹＥＳ）、制御部２５は、ユーザ操作によって設定されている明るさを値ａだけ減少させ（Ｓ１２）、Ｓ１５に進む。なお、所定値Ａ（以下に示す所定値Ｂ〜Ｆ、Ａ１、Ａ２、Ｂ１、Ｂ２も同様）や値ａ（以下に示すｂ〜ｆ、ａ１、ａ２、ｂ１、ｂ２も同様）は、メモリ２８に記憶されているので、その値が読み出されて使用される。
【００４４】
ディスプレイ装置４０に設定されている明るさが所定値Ａ以上でない場合（Ｓ１１でＮＯ）、制御部２５は、ディスプレイ装置４０に設定されている明るさが所定値Ｂ以下であるか否かを判断する（Ｓ１３）。ディスプレイ装置４０に設定されている明るさが所定値Ｂ以下である場合（Ｓ１３でＹＥＳ）、制御部２５は、ユーザ操作によって設定されている明るさを値ｂだけ増加させ（Ｓ１４）、Ｓ１５に進む。ディスプレイ装置４０に設定されている明るさが所定値Ｂ以下でない場合（Ｓ１３でＮＯ）、Ｓ１５に進む。
【００４５】
Ｓ１５では、制御部２５は、照度センサ５１によって検出された照度が所定値Ｃ以上であるか否かを判断する（Ｓ１５）。照度センサ５１によって検出された照度が所定値Ｃ以上である場合（Ｓ１５でＹＥＳ）、制御部２５は、ユーザ操作によって設定されている明るさを値ｃだけ増加させ（Ｓ１６）、Ｓ１９に進む。
【００４６】
照度センサ５１によって検出された照度が所定値Ｃ以上でない場合（Ｓ１５でＮＯ）、制御部２５は、照度センサ５１によって検出された照度が所定値Ｄ以下であるか否かを判断する（Ｓ１７）。照度センサ５１によって検出された照度が所定値Ｄ以下である場合（Ｓ１７でＹＥＳ）、制御部２５は、ユーザ操作によって設定されている明るさを値ｄだけ減少させ（Ｓ１８）、Ｓ１９に進む。照度センサ５１によって検出された照度が所定値Ｄ以下でない場合（Ｓ１７でＮＯ）、Ｓ１９に進む。
【００４７】
Ｓ１９では、制御部２５は、照度センサ５２によって検出された照度が所定値Ｅ以上であるか否かを判断する（Ｓ１９）。照度センサ５２によって検出された照度が所定値Ｅ以上である場合（Ｓ１９でＹＥＳ）、制御部２５は、ユーザ操作によって設定されている明るさを値ｅだけ増加させ（Ｓ２０）、処理明るさとして設定する。
【００４８】
照度センサ５２によって検出された照度が所定値Ｅ以上でない場合（Ｓ１９でＮＯ）、制御部２５は、照度センサ５２によって検出された照度が所定値Ｆ以下であるか否かを判断する（Ｓ２１）。照度センサ５２によって検出された照度が所定値Ｆ以下である場合（Ｓ２１でＹＥＳ）、制御部２５は、ユーザ操作によって設定されている明るさを値ｆだけ減少させ（Ｓ２２）、処理明るさとして設定する。照度センサ５２によって検出された照度が所定値Ｆ以下でない場合（Ｓ２１でＮＯ）、これまでに算出された明るさを処理明るさとして設定する。
【００４９】
以上の処理によって、ディスプレイ装置４０に設定されている明るさが大きい場合には、ＡＶアンプ２０の画像処理部２２に調整される処理明るさは小さく設定され、ディスプレイ装置４０に設定されている明るさが小さい場合には、ＡＶアンプ２０の画像処理部２２に調整される処理明るさは大きく設定されるので、ディスプレイ装置４０に設定される明るさに応じて適切な処理明るさに自動的に設定することができる。また、照度センサ５１、５２で検出された照度が大きい場合には、ＡＶアンプ２０の画像処理部２２に調整される処理明るさは大きく設定され、照度センサ５１、５２で検出された照度が小さい場合には、ＡＶアンプ２０の画像処理部２２で調整される処理明るさは小さく設定されるので、照度センサ５１、５２で検出される照度に応じて適切な処理明るさに自動的に設定することができる。なお、本例において、照度センサ５１、５２で検出された照度を加味せずに、処理明るさを設定することも可能である。
【００５０】
［実施例２］
本例では、ユーザ操作によって設定された明るさと、ＤＶＤプレーヤ１０に設定されている明るさとに基づいて、処理明るさが設定される。図４は本例におけるＡＶアンプ２０の制御部２５の処理を示すフローチャートである。ＤＶＤプレーヤ１０の制御部１４は、ユーザ操作によってＤＶＤプレーヤ１０の画像処理部１２で調整される明るさが設定されたとき、ＣＥＣラインを介して、ＡＶアンプ２０の制御部２５に、設定されたＤＶＤプレーヤ１０の明るさの情報を送信する。ＡＶアンプ２０の制御部２５は、ＤＶＤプレーヤ１０の制御部１４から、ＤＶＤプレーヤ１０に設定された明るさの情報を受信し、メモリ２８に保存する（Ｓ３１）。
【００５１】
続いて、制御部２５は、照度センサ５１によって検出されたディスプレイ装置４０の表示部４３の前方の照度を取得し、メモリ２８に保存する（Ｓ３２）。続いて、制御部２５は、照度センサ５２によって検出された部屋の（ユーザの視聴位置周囲）の照度を取得し、メモリ２８に保存する（Ｓ３３）。
【００５２】
制御部２５は、ユーザ操作によって設定されている明るさに、ＤＶＤプレーヤ１０に設定されている明るさ及び照度センサ５１、５２から取得した照度を加味し、処理明るさを設定する（Ｓ３４）。Ｓ３４の詳細を図５に示す。
【００５３】
制御部２５は、ＤＶＤプレーヤ１０に設定されている明るさが所定値Ａ以上であるか否かを判断する（Ｓ４１）。ＤＶＤプレーヤ１０に設定されている明るさが所定値Ａ以上である場合（Ｓ４１でＹＥＳ）、制御部２５は、ユーザ操作によって設定されている明るさを値ａだけ減少させ（Ｓ４２）、Ｓ４５に進む。
【００５４】
ＤＶＤプレーヤ１０に設定されている明るさが所定値Ａ以上でない場合（Ｓ４１でＮＯ）、制御部２５は、ＤＶＤプレーヤ１０に設定されている明るさが所定値Ｂ以下であるか否かを判断する（Ｓ４３）。ＤＶＤプレーヤ１０に設定されている明るさが所定値Ｂ以下である場合（Ｓ４３でＹＥＳ）、制御部２５は、ユーザ操作によって設定されている明るさを値ｂだけ増加させ（Ｓ４４）、Ｓ４５に進む。ＤＶＤプレーヤ１０に設定されている明るさが所定値Ｂ以下でない場合（Ｓ４３でＮＯ）、Ｓ４５に進む。
【００５５】
Ｓ４５では、制御部２５は、照度センサ５１によって検出された照度が所定値Ｃ以上であるか否かを判断する（Ｓ４５）。照度センサ５１によって検出された照度が所定値Ｃ以上である場合（Ｓ４５でＹＥＳ）、制御部２５は、ユーザ操作によって設定されている明るさを値ｃだけ増加させ（Ｓ４６）、Ｓ４９に進む。
【００５６】
照度センサ５１によって検出された照度が所定値Ｃ以上でない場合（Ｓ４５でＮＯ）、制御部２５は、照度センサ５１によって検出された照度が所定値Ｄ以下であるか否かを判断する（Ｓ４７）。照度センサ５１によって検出された照度が所定値Ｄ以下である場合（Ｓ４７でＹＥＳ）、制御部２５は、ユーザ操作によって設定されている明るさを値ｄだけ減少させ（Ｓ４８）、Ｓ４９に進む。照度センサ５１によって検出された照度が所定値Ｄ以下でない場合（Ｓ４７でＮＯ）、Ｓ４９に進む。
【００５７】
Ｓ４９では、制御部２５は、照度センサ５２によって検出された照度が所定値Ｅ以上であるか否かを判断する（Ｓ４９）。照度センサ５２によって検出された照度が所定値Ｅ以上である場合（Ｓ４９でＹＥＳ）、制御部２５は、ユーザ操作によって設定されている明るさを値ｅだけ増加させ（Ｓ５０）、処理明るさとして設定する。
【００５８】
照度センサ５２によって検出された照度が所定値Ｅ以上でない場合（Ｓ４９でＮＯ）、制御部２５は、照度センサ５２によって検出された照度が所定値Ｆ以下であるか否かを判断する（Ｓ５１）。照度センサ５２によって検出された照度が所定値Ｆ以下である場合（Ｓ５１でＹＥＳ）、制御部２５は、ユーザ操作によって設定されている明るさを値ｆだけ減少させ（Ｓ５２）、処理明るさとして設定する。照度センサ５２によって検出された照度が所定値Ｆ以下でない場合（Ｓ５１でＮＯ）、これまでに算出された明るさを処理明るさとして設定する。
【００５９】
以上の処理によって、ＤＶＤプレーヤ１０に設定されている明るさが大きい場合には、ＡＶアンプ２０の画像処理部２２に調整される処理明るさは小さく設定され、ＤＶＤプレーヤ１０に設定されている明るさが小さい場合には、ＡＶアンプ２０の画像処理部２２に調整される処理明るさは大きく設定されるので、ＤＶＤプレーヤ１０に設定される明るさに応じて適切な処理明るさに自動的に設定することができる。また、照度センサ５１、５２で検出された照度が大きい場合には、ＡＶアンプ２０の画像処理部２２に調整される処理明るさは大きく設定され、照度センサ５１、５２で検出された照度が小さい場合には、ＡＶアンプ２０の画像処理部２２で調整される処理明るさは小さく設定されるので、照度センサ５１、５２で検出される照度に応じて適切な処理明るさに自動的に設定することができる。なお、本例において、照度センサ５１、５２で検出された照度を加味せずに、処理明るさを設定することも可能である。
【００６０】
［実施例３］
本例では、ユーザ操作によって設定されている明るさと、ＤＶＤプレーヤ１０に設定されている明るさと、ディスプレイ装置４０に設定されている明るさとに基づいて、処理明るさが設定される。図６は本例におけるＡＶアンプ２０の制御部２５の処理を示すフローチャートである。ディスプレイ装置４０の制御部４４は、ユーザ操作によってディスプレイ装置４０の画像処理部４２で調整される明るさが設定されたとき、ＣＥＣラインを介して、ＡＶアンプ２０の制御部２５に、設定されたディスプレイ装置４０の明るさの情報を送信する。ＡＶアンプ２０の制御部２５は、ディスプレイ装置４０の制御部４４から、ディスプレイ装置４０に設定された明るさの情報を受信し、メモリ２８に保存する（Ｓ６１）。
【００６１】
続いて、ＤＶＤプレーヤ１０の制御部１４は、ユーザ操作によってＤＶＤプレーヤ１０の画像処理部１２で調整される明るさが設定されたとき、ＣＥＣラインを介して、ＡＶアンプ２０の制御部２５に、設定されたＤＶＤプレーヤ１０の明るさの情報を送信する。ＡＶアンプ２０の制御部２５は、ＤＶＤプレーヤ１０の制御部１４から、ＤＶＤプレーヤ１０に設定された明るさの情報を受信し、メモリ２８に保存する（Ｓ６２）。
【００６２】
続いて、制御部２５は、照度センサ５１によって検出されたディスプレイ装置４０の表示部４３の前方の照度を取得し、メモリ２８に保存する（Ｓ６３）。続いて、制御部２５は、照度センサ５２によって検出された部屋の（ユーザの視聴位置周囲）の照度を取得し、メモリ２８に保存する（Ｓ６４）。
【００６３】
制御部２５は、ユーザ操作によって設定されている明るさに、ディスプレイ装置４０に設定されている明るさ、ＤＶＤプレーヤ１０に設定されている明るさ及び照度センサ５１、５２から取得した照度を加味し、処理明るさを設定する（Ｓ６５）。Ｓ６５の詳細を図７に示す。
【００６４】
制御部２５は、ディスプレイ装置４０に設定されている明るさが所定値Ａ１以上であるか否かを判断する（Ｓ７１）。ディスプレイ装置４０に設定されている明るさが所定値Ａ１以上である場合（Ｓ７１でＹＥＳ）、制御部２５は、ユーザ操作によって設定されている明るさを値ａ１だけ減少させ（Ｓ７２）、Ｓ７５に進む。
【００６５】
ディスプレイ装置４０に設定されている明るさが所定値Ａ１以上でない場合（Ｓ７１でＮＯ）、制御部２５は、ディスプレイ装置４０に設定されている明るさが所定値Ｂ１以下であるか否かを判断する（Ｓ７３）。ディスプレイ装置４０に設定されている明るさが所定値Ｂ１以下である場合（Ｓ７３でＹＥＳ）、制御部２５は、ユーザ操作によって設定されている明るさを値ｂ１だけ増加させ（Ｓ７４）、Ｓ７５に進む。ディスプレイ装置４０に設定されている明るさが所定値Ｂ１以下でない場合（Ｓ７３でＮＯ）、Ｓ７５に進む。
【００６６】
Ｓ７５では、制御部２５は、ＤＶＤプレーヤ１０に設定されている明るさが所定値Ａ２以上であるか否かを判断する（Ｓ７５）。ＤＶＤプレーヤ１０に設定されている明るさが所定値Ａ１以上である場合（Ｓ７５でＹＥＳ）、制御部２５は、ユーザ操作によって設定されている明るさを値ａ２だけ減少させ（Ｓ７６）、Ｓ７９に進む。
【００６７】
ＤＶＤプレーヤ１０に設定されている明るさが所定値Ａ２以上でない場合（Ｓ７５でＮＯ）、制御部２５は、ＤＶＤプレーヤ１０に設定されている明るさが所定値Ｂ２以下であるか否かを判断する（Ｓ７７）。ＤＶＤプレーヤ１０に設定されている明るさが所定値Ｂ２以下である場合（Ｓ７７でＹＥＳ）、制御部２５は、ユーザ操作によって設定されている明るさを値ｂ２だけ増加させ（Ｓ７８）、Ｓ７９に進む。ＤＶＤプレーヤ１０に設定されている明るさが所定値Ｂ２以下でない場合（Ｓ７７でＮＯ）、Ｓ７９に進む。
【００６８】
Ｓ７９では、制御部２５は、照度センサ５１によって検出された照度が所定値Ｃ以上であるか否かを判断する（Ｓ７９）。照度センサ５１によって検出された照度が所定値Ｃ以上である場合（Ｓ７９でＹＥＳ）、制御部２５は、ユーザ操作によって設定されている明るさを値ｃだけ増加させ（Ｓ８０）、Ｓ８３に進む。
【００６９】
照度センサ５１によって検出された照度が所定値Ｃ以上でない場合（Ｓ７９でＮＯ）、制御部２５は、照度センサ５１によって検出された照度が所定値Ｄ以下であるか否かを判断する（Ｓ８１）。照度センサ５１によって検出された照度が所定値Ｄ以下である場合（Ｓ８１でＹＥＳ）、制御部２５は、ユーザ操作によって設定されている明るさを値ｄだけ減少させ（Ｓ８２）、Ｓ８３に進む。照度センサ５１によって検出された照度が所定値Ｄ以下でない場合（Ｓ８１でＮＯ）、Ｓ８３に進む。
【００７０】
Ｓ８３では、制御部２５は、照度センサ５２によって検出された照度が所定値Ｅ以上であるか否かを判断する（Ｓ８３）。照度センサ５２によって検出された照度が所定値Ｅ以上である場合（Ｓ８３でＹＥＳ）、制御部２５は、ユーザ操作によって設定されている明るさを値ｅだけ増加させ（Ｓ８４）、処理明るさとして設定する。
【００７１】
照度センサ５２によって検出された照度が所定値Ｅ以上でない場合（Ｓ８３でＮＯ）、制御部２５は、照度センサ５２によって検出された照度が所定値Ｆ以下であるか否かを判断する（Ｓ８５）。照度センサ５２によって検出された照度が所定値Ｆ以下である場合（Ｓ８５でＹＥＳ）、制御部２５は、ユーザ操作によって設定されている明るさを値ｆだけ減少させ（Ｓ８６）、処理明るさとして設定する。照度センサ５２によって検出された照度が所定値Ｆ以下でない場合（Ｓ８５でＮＯ）、これまでに算出された明るさを処理明るさとして設定する。
【００７２】
以上の処理によって、ＤＶＤプレーヤ１０、ディスプレイ装置４０に設定されている明るさが大きい場合には、ＡＶアンプ２０の画像処理部２２に調整される処理明るさは小さく設定され、ＤＶＤプレーヤ１０、ディスプレイ装置４０に設定されている明るさが小さい場合には、ＡＶアンプ２０の画像処理部２２に調整される処理明るさは大きく設定されるので、ＤＶＤプレーヤ１０、ディスプレイ装置４０に設定される明るさに応じて適切な処理明るさに自動的に設定することができる。また、照度センサ５１、５２で検出された照度が大きい場合には、ＡＶアンプ２０の画像処理部２２に調整される処理明るさは大きく設定され、照度センサ５１、５２で検出された照度が小さい場合には、ＡＶアンプ２０の画像処理部２２で調整される処理明るさは小さく設定されるので、照度センサ５１、５２で検出される照度に応じて適切な処理明るさに自動的に設定することができる。なお、本例において、照度センサ５１、５２で検出された照度を加味せずに、処理明るさを設定することも可能である。
【００７３】
以上、本発明の好ましい実施形態を説明したが、本発明はこれらの実施形態には限定されない。ＨＤＭＩのＣＥＣラインの代わりに、他の通信ライン（例えば、ＩＥＥＥ１３９４、ＤＶＩ、ＬＡＮ、ＵＳＢ等）が使用されてもよい。
【００７４】
図８に示すように、ＤＶＤプレーヤ（画像送信装置）１０とディスプレイ装置（画像受信装置）４０とが直接接続される場合、ＤＶＤプレーヤ１０が上記ＡＶアンプの図２、図３の処理を実行してもよい。つまり、ＤＶＤプレーヤ１０が、ディスプレイ装置４０から明るさの情報を取得し、ＤＶＤプレーヤ１０の画像処理部１２で調整される処理明るさが、ユーザ操作によって設定された明るさと、ディスプレイ装置４０で設定された明るさとに基づいて設定されてもよい。
【００７５】
図８に示すように、ＤＶＤプレーヤ（画像送信装置）１０とディスプレイ装置（画像受信装置）４０とが直接接続される場合、ディスプレイ装置４０が上記ＡＶアンプの図４、図５の処理を実行してもよい（但し、この場合、照度センサ５１、５２は、ディスプレイ装置４０の制御部４４に接続されている。）。つまり、ディスプレイ装置４０が、ＤＶＤプレーヤ１０から明るさの情報を取得し、ディスプレイ装置４０の画像処理部４２で調整される処理明るさが、ユーザ操作によって設定された明るさと、ＤＶＤプレーヤ１０で設定された明るさとに基づいて設定されてもよい。
【００７６】
ＤＶＤプレーヤ（画像送信装置）１０とＡＶアンプ（画像受信装置）２０とディスプレイ装置（画像受信装置）４０とが接続される場合でも、ＤＶＤプレーヤ１０が上記ＡＶアンプの図２、図３の処理（但し、図２、図３におけるディスプレイ装置をＡＶアンプと読み替える。）を実行してもよい。つまり、ＤＶＤプレーヤ１０が、ＡＶアンプ２０から明るさの情報を取得し、ＤＶＤプレーヤ１０の画像処理部１２で調整される処理明るさが、ユーザ操作によって設定された明るさと、ＡＶアンプ２０で設定された明るさとに基づいて設定してもよい。
【００７７】
ＤＶＤプレーヤ（画像送信装置）１０とＡＶアンプ（画像受信装置）２０とディスプレイ装置（画像受信装置）４０とが接続される場合でも、ディスプレイ装置４０が上記ＡＶアンプの図４、図５の処理を実行してもよい（但し、図４、図５におけるＤＶＤプレーヤをＡＶアンプと読み替える。）。つまり、ディスプレイ装置４０が、ＡＶアンプ２０から明るさの情報を取得し、ディスプレイ装置４０の画像処理部４２で調整される処理明るさが、ユーザ操作によって設定された明るさと、ＡＶアンプ２０で設定された明るさとに基づいて設定されてもよい。
【００７８】
ＤＶＤプレーヤの代わりに、ＨＤＤレコーダ、ＢＤプレーヤ等の他のソース機器が使用されてもよい。また、ＤＶＤプレーヤ、ＡＶアンプ、ディスプレイ装置の上記動作をコンピュータに実行させるためのプログラムおよびこれを記録した記録媒体という形態で提供されてもよい。
【産業上の利用可能性】
【００７９】
本発明は、ＤＶＤプレーヤ、ＡＶアンプ、ディスプレイ装置等に好適に採用され得る。
【符号の説明】
【００８０】
１０            ＤＶＤプレーヤ
２０            ＡＶアンプ
４０            ディスプレイ装置
【図１】
0005387306.tif 000002
【図２】
0005387306.tif 000003
【図３】
0005387306.tif 000004
【図４】
0005387306.tif 000005
【図５】
0005387306.tif 000006
【図６】
0005387306.tif 000007
【図７】
0005387306.tif 000008
【図８】
0005387306.tif 000009